(57)【要約】      （修正有）【課題】一対のクリップ片により、板状に形成されている導体を挟みこんでいる状態において、この一対のクリップ片が、導体から外れることが無い、電気配線用クリップを提供する。【解決手段】一対のクリップ片２ａ、２ｂの先端部同士が、閉じる方向に弾性付勢されて圧接すると共に、弾性付勢力に抗して、一対のクリップ片２ａ、２ｂの先端部同士を拡げる一対の操作片３ａ、３ｂにより構成される電気配線用クリップ１であって、一対のクリップ片２ａ、２ｂ及び操作片３ａ、３ｂは、導電性を有すると共に、電気抵抗の少ない素材を用いて形成され、圧接する一方のクリップ片２ａの先端部に突棒部材５を設け、他方のクリップ片２ｂの先端部に、突棒部材５を貫通させる孔８を設けていることを特徴とする。【選択図】図２
0003205924.tif 000002
【実用新案登録請求の範囲】
【請求項１】
一対のクリップ片の先端部同士が、閉じる方向に弾性付勢されて圧接すると共に、弾性付勢力に抗して、一対のクリップ片の先端部同士を拡げる一対の操作片により構成される電気配線用クリップであって、
一対のクリップ片及び操作片は、導電性を有すると共に、電気抵抗の少ない素材を用いて形成され、圧接する一方のクリップ片の先端部に突棒部材を設け、他方のクリップ片の先端部に、突棒部材を貫通させる孔を設けていることを特徴とする、電気配線用クリップ。
【請求項２】
操作片に、電線が接続されている請求項１に記載の電気配線用クリップ。
【請求項３】
一対のクリップ片及び操作片の全体を、筒状に形成された絶縁部材により覆っている請求項１または２に記載の電気配線用クリップ。
【請求項４】
突棒部材は、所定の長さのボルトであり、一方のクリップ片に設けた孔にボルトを貫装させ、ナットにより締め付けて、一方のクリップ片にボルトを固定している請求項１に記載の電気配線用クリップ。
【考案の詳細な説明】
【技術分野】
【０００１】
本考案は、一対のクリップ片により、板状に形成されている導体を挟みこんでいる状態において、この一対のクリップ片が、導体から外れることが無い、電気配線用クリップに関するものである。
【０００２】
具体的には、Ｌ字金具等の導体に所定の孔を設け、この導体に電気配線用クリップを取り付けた際に、電気配線用クリップにおける一方のクリップ片が備えている突棒部材をＬ字金具の孔に貫通させ、他方のクリップ片の孔に突棒部材を挿入している状態で、一対のクリップ片の先端部同士をＬ字金具に圧接させて、Ｌ字金具を強く挟み込むことにより、Ｌ字金具から電気配線用クリップが外れてしまう事態の発生を確実に阻止した、電気配線用クリップに関するものである。
【背景技術】
【０００３】
ケーブルを導電回路に接続して電流等を測定する作業においては、図１１に示すように、Ｌ字金具１００等の導体１０１に、測定線１０２を取り付ける作業を実施している。この作業においては、例えば、所定の孔１０６を有するＬ字金具１００等の導体１０１に、Ｙ形端子１０３を備えた測定線１０２を取り付けるのが一般的である。
【０００４】
具体的には、図１１に示すように、Ｌ字金具１００等の導体１０１の孔１０６にボルト１０４とナット１０５を配置し、Ｌ字金具１００とナット１０５の間にＹ形端子１０３を差し入れて、Ｌ字金具１００とナット１０５によりＹ形端子１０３を挟み込んでいる状態とし、ナット１０５を締め付けて導体１０１に測定線１０２を取り付けている。
【０００５】
この他、導体を挟み込むようにして取り付けるクリップとしては、先端部同士を閉じる方向に弾性付勢する所定のバネを備え、バネの弾性付勢力に抗して先端部同士を拡げて、導体を挟み込むようになっている、所謂「ワニ口クリップ」として、特許文献１に示す通電クリップが存在している。
【０００６】
この通電クリップは、図１２に示すように、電気絶縁材のカバーケース（１０）の内面に付属一体化され、且つ前端部が上下一対の閉合弾圧片（１５）として内向きに曲げ起された導電帯（１４）と、前端部の常時拡開する付勢力が与えられた上下一対の開閉可能なクリップ本体（１８）とを備え、クリップ本体を常時カバーケースから前方へ進出する拡開状態に保つ一方、その拡開付勢力に抗しつつカバーケースを、両クリップ本体との相対的に前方へ押し込み操作することにより、クリップ本体の前端部をバッテリー（２３）などの端子（２４）へ咬み付くように閉合させると同時に、その閉合状態に保つ上記導電帯の閉合弾圧片を、クリップ本体の背中と電気的に接触させるように構成している。
【先行技術文献】
【特許文献】
【０００７】
【特許文献１】実用新案登録第３００５２３９号公報
【考案の概要】
【考案が解決しようとする課題】
【０００８】
上記したケーブルを導電回路に接続して電流等を測定する作業において、図１１に示すように、Ｌ字金具１００等の導体１０１の孔にボルト１０４とナット１０５を配置し、Ｌ字金具１００とナット１０５の間にＹ形端子１０３を差し入れて、Ｌ字金具１００とナット１０５によりＹ形端子１０３を挟み込んでいる状態とし、ナット１０５を締め付けて導体１０１に測定線１０２を取り付けているが、この作業において、以下のような弊害が生じている。
【０００９】
即ち、Ｌ字金具１００とナット１０５によりＹ形端子１０３を挟み込んでいる状態において、ナット１０５を締め付けて導体１０１に測定線１０２を取り付けているが、ナット１０５の締め付けが弱いと、測定線１０２に僅かな力が作用しただけで、Ｙ形端子１０３が離脱し、導体１０１から測定線１０２が外れてしまう事態が生じていた。
【００１０】
作業員は、作業時に手袋を装着していることから、ナット１０５の締め付けが弱い場合に、ときとして、その状態を手で直に感じ取る事ができない場合が生じるのである。
【００１１】
そして、導体１０１から測定線１０２が外れてしまうと、その線が接地線の場合、感電の危険性があり、非常に危険な状態となる。
【００１２】
一方、図１２に示す、所謂「ワニ口クリップ」と呼ばれている特許文献１の通電クリップにおいては、その先端部が鋸状の歯であることから、Ｌ字金具１００等の板状の導体１０１を鋸状の歯で挟み込んだ場合、僅かな力が作用するだけで、導体１０１から通電クリップが外れてしまう可能性がある。
【００１３】
即ち、Ｌ字金具１００等の板状の導体１０１の表面は滑り易いため、鋸状の歯の先端の摩擦力だけでは、固定力として不十分である。そのため、通電クリップに僅かな力が作用しただけで、導体１０１から通電クリップが外れてしまう事態が生じるのである。
【００１４】
そこで、本考案は如上のような従来存した諸事情に鑑み創出されたもので、例えば、Ｌ字金具等の導体に所定の孔を設け、この導体に電気配線用クリップを取り付けた際に、電気配線用クリップにおける一方のクリップ片が備えている突棒部材をＬ字金具の孔に貫通させ、他方のクリップ片の孔に突棒部材を挿入している状態で、一対のクリップ片の先端部同士をＬ字金具に圧接させて、Ｌ字金具を強く挟み込むことにより、Ｌ字金具から電気配線用クリップが外れてしまう事態の発生を確実に阻止した、電気配線用クリップを提供することを目的とする。
【課題を解決するための手段】
【００１５】
本考案に係る請求項１の考案は、一対のクリップ片の先端部同士が、閉じる方向に弾性付勢されて圧接すると共に、弾性付勢力に抗して、一対のクリップ片の先端部同士を拡げる一対の操作片により構成される電気配線用クリップであって、
一対のクリップ片及び操作片は、導電性を有すると共に、電気抵抗の少ない素材を用いて形成され、圧接する一方のクリップ片の先端部に突棒部材を設け、他方のクリップ片の先端部に、突棒部材を貫通させる孔を設けていることで、上述した課題を解決した。
【００１６】
この請求項１に係る電気配線用クリップによれば、一対のクリップ片及び操作片は、導電性を有すると共に、電気抵抗の少ない素材を用いて形成されていることから、電気的な接続を確実に実現すると共に、通電状態において、クリップ自体が高温になってしまう事態の発生を阻止している。
【００１７】
また、圧接する一方のクリップ片の先端部に突棒部材を設け、他方のクリップ片の先端部に、突棒部材を貫通させる孔を設けていることから、例えば、Ｌ字金具等の導体に所定の孔を設け、この導体に電気配線用クリップを取り付けた際に、一方のクリップ片が備えている突棒部材をＬ字金具の孔に貫通させ、他方のクリップ片の孔に突棒部材を挿入した状態で、一対のクリップ片の先端部同士をＬ字金具に圧接させて、Ｌ字金具を強く挟み込むことにより、Ｌ字金具から電気配線用クリップが外れてしまう事態の発生を確実に阻止できる。
【００１８】
即ち、Ｌ字金具等の導体の孔に、突棒部材を貫通させて他方のクリップ片の孔に突棒部材を挿入した状態で、一対のクリップ片によりＬ字金具を強く挟み込むことから、突棒部材が導体の孔に貫通している状態が常に維持されることになる。
【００１９】
そのため、電気配線用クリップに大きな力が作用した場合であっても、突棒部材が導体の孔に常に保持され、当該孔から突棒部材が離脱することがない。
【００２０】
このように、突棒部材が導体の孔とクリップ片の孔に常に保持されることにより、Ｌ字金具から電気配線用クリップが外れてしまう事態の発生を確実に阻止できるのである。
【００２１】
本考案に係る請求項２の考案は、操作片に、電線が接続されていることで、上述した課題を解決した。
【００２２】
この請求項２に係る電気配線用クリップによれば、操作片に電線が接続されていることから、電気的な接続を確実に実現できる。
【００２３】
本考案に係る請求項３の考案は、一対のクリップ片及び操作片の全体を、筒状に形成された絶縁部材により覆っていることで、上述した課題を解決した。
【００２４】
この請求項３に係る電気配線用クリップによれば、一対のクリップ片及び操作片の全体を、筒状に形成された絶縁部材により覆っていることから、電気配線用クリップを使用している際に、作業員が感電してしまう事態の発生を阻止している。
【００２５】
本考案に係る請求項４の考案は、突棒部材は、所定の長さのボルトであり、一方のクリップ片に設けた孔にボルトを貫装させ、ナットにより締め付けて、一方のクリップ片にボルトを固定していることで、上述した課題を解決した。
【００２６】
この請求項４に係る電気配線用クリップによれば、突棒部材は、所定の長さのボルトであることから、電気配線用クリップを安価に製作することができる。また、一方のクリップ片に設けた孔にボルトを貫装させ、ナットにより締め付ける手順により、作業員は一方のクリップ片にボルトを簡単に固定できる。
【考案の効果】
【００２７】
本考案に係る電気配線用クリップにより、例えば、Ｌ字金具等の導体に所定の孔を設け、この導体に電気配線用クリップを取り付けた際に、電気配線用クリップにおける一方のクリップ片が備えている突棒部材をＬ字金具の孔に貫通させ、他方のクリップ片の孔に突棒部材を挿入した状態で、一対のクリップ片の先端部同士をＬ字金具に圧接させて、Ｌ字金具を強く挟み込むことにより、Ｌ字金具から電気配線用クリップが外れてしまう事態の発生を確実に阻止することができる。
【図面の簡単な説明】
【００２８】
【図１】一対のクリップ片の歯部が閉じている状態の電気配線用クリップの構成を示す斜視図である。
【図２】一対のクリップ片の歯部が開いている状態の電気配線用クリップの構成を示す斜視図である。
【図３】突棒部材であるボルトの取り付け状態を示す電気配線用クリップの斜視図である。
【図４】電気配線用クリップの構成を示すもので、（ａ）は平面図、（ｂ）は側面図、（Ｃ）は正面図である。
【図５】電気配線用クリップを絶縁部材により覆っている状態を示す側面図である。
【図６】電気配線用クリップの使用例を示すもので、（ａ）はバネの弾性付勢力に抗して一対の操作片を指で摘んで押し込み、一対のクリップ片の歯部を拡げている状態を示す斜視図、（ｂ）はその側面図である。
【図７】電気配線用クリップの使用例を示すもので、（ａ）はクリップ片のボルトをＬ字金具（導体）の孔の上方に位置させている状態を示す斜視図、（ｂ）はその側面図である。
【図８】電気配線用クリップの使用例を示すもので、（ａ）はＬ字金具（導体）への取り付け状態を示す斜視図、（ｂ）はその側面図である。
【図９】電気配線用クリップのＬ字金具（導体）への取り付け状態を示す斜視図である。
【図１０】電気配線用クリップの他の使用例を示すもので、（ａ）は平編線の一部を拡げて孔のような空間を設けている状態を示す斜視図、（ｂ）は平編線への取り付け状態を示す斜視図である。
【図１１】従来のケーブルを導電回路に接続して電流等を測定する作業において、Ｌ字金具に測定線を取り付けている状態を示す斜視図である。
【図１２】特許文献１に示す通電クリップの構成を示す側断面図である。
【考案を実施するための形態】
【００２９】
以下に、図面を参照して、本考案の一実施の形態について説明する。
【００３０】
＜実施の形態＞
本考案に電気配線用クリップ１は、図１乃至図３に示すように、一対のクリップ片２ａ・２ｂの先端部同士が、閉じる方向に弾性付勢されて圧接すると共に、弾性付勢力に抗して、一対のクリップ片２ａ・２ｂの先端部同士を拡げる一対の操作片３ａ・３ｂにより構成されている。
【００３１】
操作片３ａは、図１に示すように、長尺片３０と短尺片３１が折曲した状態で連設され、短尺片３１の基端部に、後述する電線１０を接続するための接続基礎片３２を連設している。
【００３２】
操作片３ｂも、図１に示すように、長尺片３３と短尺片３４が折曲した状態で連設されている。
【００３３】
操作片３ｂの短尺片３４は、操作片３ａの短尺片３１の基端部に軸止されており、操作片３ａ・３ｂは、互いに開閉可能になっている。
【００３４】
操作片３ａ・３ｂの間には、所定の空間が確保されており、互いの長尺片３０・３３の先端部分の間に、弾性部材としてのバネ４が配置されている。このバネ４は、長尺片３０・３３の両先端部分を、押し拡げる方向に弾性付勢している。
【００３５】
そして、操作片３ａの先端部にクリップ片２ａが連設され、操作片３ｂの先端部にクリップ片２ｂが連設されている。
【００３６】
クリップ片２ａは、長尺片２０と水平板部２１が、若干湾曲するように連設されている。
【００３７】
クリップ片２ｂも、長尺片２２と水平板部２３が、若干湾曲するように連設されている。また、クリップ片２ｂの長尺片２２には、その全体に渡って、幅広で長尺な切り欠き４０が設けられている。
【００３８】
クリップ片２ａの長尺片２０と、クリップ片２ｂの長尺片２２は、互いに近接するように配置されており、クリップ片２ｂの長尺な切り欠き４０の部分に、クリップ片２ａの長尺片２０が進入して、クリップ片２ａの長尺片２０とクリップ片２ｂの長尺片２２が、上下の位置を変えるように交差している。
【００３９】
図２・図３に示すように、クリップ片２ａの長尺片２０の先端部に、板部分２４が連設され、クリップ片２ｂの長尺片２２の先端部に、板部分２５が連設されている。このとき、クリップ片２ａの板部分２４が上側に位置し、クリップ片２ｂの板部分２５が下側に位置している。
【００４０】
クリップ片２ａの板部分２４の先端部には、下向きに、鋸状の歯部２６が設けられている。クリップ片２ｂの板部分２５の先端部には、上向きに、鋸状の歯部２７が設けられている。
【００４１】
そして、バネ４は、長尺片３０・３３の両先端部分を、押し拡げる方向に弾性付勢していることから、交差して上側に位置しているクリップ片２ａの板部分２４は下向きに移動するように付勢され、同じく交差して下側に位置しているクリップ片２ｂの板部分２５は上向きに移動するように付勢される。
【００４２】
即ち、一対のクリップ片２ａ・２ｂの板部分２４・２５同士が、閉じる方向に弾性付勢されて、図１に示すように、クリップ片２ａの板部分２４の歯部２６が、クリップ片２ｂの板部分２５に圧接するのである。このとき、クリップ片２ａの板部分２４の歯部２６は、クリップ片２ｂの板部分２５の歯部２７の内側に位置するように配置されている。
【００４３】
一対のクリップ片２ａ・２ｂ及び操作片３ａ・３ｂは、導電性を有すると共に、電気抵抗の少ない素材を用いて形成されている。
【００４４】
また、図１・図２に示すように、クリップ片２ａの板部分２４には、突棒部材５を設けている。具体的には、突棒部材５は、所定の長さのボルト６であり、図３に示すように、クリップ片２ａの板部分２４に所定の孔７を設け、この孔７にボルト６のネジ部を貫装させ、板部分２４の下面においてボルト６のネジ部にナット９をあてがい、回転させて締め付け、クリップ片２ａの板部分２４にボルト６を固定する。
【００４５】
さらに、クリップ片２ｂの板部分２５には、ボルト６のネジ部を貫通させる孔８を設けておく。
【００４６】
この他、クリップ片２ａの基端部には、接続基礎片３２が配置されている。この接続基礎片３２は、クリップ片２ａに電線１０を接続する部分である。接続基礎片３２には、所定の孔が設けられている。
【００４７】
そして、図４（ａ）（ｂ）に示すように、電線１０の端子を接続基礎片３２の孔の下面に宛がい、所定のボルト１１を孔に貫装させて、ボルト１１のネジ部にナット１２をあてがう。このとき、電線１０の端子を、接続基礎片３２の下面とナット１２により挟み込んだ状態とし、ナット１２を回転させて締め付け、接続基礎片３２の下面に電線１０の端子を固定する。
【００４８】
この他、図４（ｂ）・図５に示すように、一対のクリップ片２ａ・２ｂ及び一対の操作片３ａ・３ｂの全体を、筒状に形成された絶縁部材１３により覆っている。
【００４９】
尚、電気配線用クリップ１は、上記した構成のものに限定されることは無い。例えば、一対のクリップ片２ａ・２ｂの先端部同士が、閉じる方向に弾性付勢されて圧接すると共に、弾性付勢力に抗して、一対のクリップ片２ａ・２ｂの先端部同士を拡げる一対の操作片３ａ・３ｂを備えているものであれば、所謂、洗濯ばさみ式の構成による電気配線用クリップ１であっても差し支えない。
【００５０】
以下に、本考案に係る電気配線用クリップ１の使用例について説明する。
【００５１】
まず、図６（ａ）に示すように、バネ４の弾性付勢力に抗して、一対の操作片３ａ・３ｂを指で摘んで矢印方向に押し込み、一対のクリップ片２ａ・２ｂの歯部２６・２７を拡げる。このとき、図６（ｂ）に示すように、クリップ片２ａのボルト６の先端部を、クリップ片２ｂの歯部２７よりも上方に位置させる。
【００５２】
この状態で、図７（ｂ）に示すように、クリップ片２ｂの歯部２７を、Ｌ字金具１００（導体１０１）の下面に沿うように移動させて、図７（ａ）に示すように、クリップ片２ａのボルト６を、Ｌ字金具１００（導体１０１）の孔１０６の上方に位置させる。
【００５３】
この状態で、一対の操作片３ａ・３ｂを押し込んでいる指の力を抜くと、バネ４の弾性付勢力により、一対の操作片３ａ・３ｂの間隔が拡がり、それに対応して、一対のクリップ片２ａ・２ｂの歯部２６・２７が閉じる方向に移動する。
【００５４】
そして、クリップ片２ｂの歯部２７を、Ｌ字金具１００（導体１０１）の下面に当接させた状態で、クリップ片２ａの歯部２６とボルト６を、下方に移動させる。
【００５５】
このとき、クリップ片２ａのボルト６は、図８（ａ）に示すように、Ｌ字金具１００（導体１０１）の孔１０６を貫装し、クリップ片２ｂの孔８に向かって移動すると共に、図８（ｂ）に示すように、クリップ片２ａの歯部２６は、Ｌ字金具１００（導体１０１）の上面に突き当たる。
【００５６】
このようにして、Ｌ字金具１００（導体１０１）の上面及び下面を、クリップ片２ａ・２ｂの歯部２６・２７により挟み込むのである。このとき、クリップ片２ａのボルト６は、図８（ｂ）・図９に示すように、クリップ片２ｂの孔８を貫通した状態となる。
【００５７】
上記したように、クリップ片２ａのボルト６が、Ｌ字金具１００（導体１０１）の孔１０６を貫装し、さらに、クリップ片２ｂの孔８を貫通した状態が、バネ４の弾性付勢力により、Ｌ字金具１００（導体１０１）の上面及び下面に突き当たるように挟み込んでいるクリップ片２ａ・２ｂの歯部２６・２７により維持されているのである。
【００５８】
この他の使用例として、例えば、図１０（ａ）（ｂ）に示すように、平編線の一部を拡げて孔のような空間を設け、この空間にクリップ片２ａのボルト６を貫装させても良い。
【００５９】
また、平編線の一部をボルト６の内側に配置し、クリップ片２ａ・２ｂの板部分２４・２５により、平編線を挟み込むように使用しても良い。
【産業上の利用可能性】
【００６０】
本考案は、一対のクリップ片により、板状に形成されている導体を挟みこんでいる状態において、この一対のクリップ片が、導体から外れることが無い、電気配線用クリップとして、ケーブルを導電回路に接続して電流等を測定する作業の他に、例えば、接地線を接地回路に接続する等の種々の作業において、幅広く利用されるものである。
【符号の説明】
【００６１】
１…電気配線用クリップ
２ａ…クリップ片
２ｂ…クリップ片
３ａ…操作片
３ｂ…操作片
４…バネ
５…突棒部材
６…ボルト
７…孔
８…孔
９…ナット
１０…電線
１１…ボルト
１２…ナット
１３…絶縁部材
２０…長尺片
２１…水平板部
２２…長尺片
２３…水平板部
２４…板部分
２５…板部分
２６…歯部
２７…歯部
３０…長尺片
３１…短尺片
３２…接続基礎片
３３…長尺片
３４…短尺片
４０…切り欠き
１００…Ｌ字金具
１０１…導体
１０２…測定線
１０３…Ｙ形端子
１０４…ボルト
１０５…ナット
（１０）…カバーケース
（１５）…閉合弾圧片
（１４）…導電帯
（１８）…クリップ本体
（２３）…バッテリー
（２４）…端子
【図１】
0003205924.tif 000003
【図２】
0003205924.tif 000004
【図３】
0003205924.tif 000005
【図４】
0003205924.tif 000006
【図５】
0003205924.tif 000007
【図６】
0003205924.tif 000008
【図７】
0003205924.tif 000009
【図８】
0003205924.tif 000010
【図９】
0003205924.tif 000011
【図１０】
0003205924.tif 000012
【図１１】
0003205924.tif 000013
【図１２】
0003205924.tif 000014